(57)【特許請求の範囲】
【請求項１】
浴槽と、該浴槽に接続された風呂往き管および風呂戻り管からなる風呂循環回路と、該風呂循環回路に接続され熱源機により生成された湯を前記浴槽へ湯張りするための湯張り管と、該湯張り管に設けられ前記浴槽への湯張り流量を検出する風呂流量検出手段と、前記風呂循環回路に設けられ前記風呂往き管のみから前記浴槽に注湯し片搬送湯張りさせる片搬送状態と、前記風呂往き管と前記風呂戻り管との両方から前記浴槽に注湯し両搬送湯張りさせる両搬送状態とに切換可能な切換手段と、前記片搬送湯張りおよび前記両搬送湯張りにより前記浴槽に湯張りを行う湯張り運転を行わせる制御手段とを備えた風呂給湯装置において、初回の前記湯張り運転の際、前記片搬送湯張りを行っているときに前記風呂流量検出手段の検出する初期片搬送流量と、前記両搬送湯張りを行っているときに前記風呂流量検出手段の検出する初期両搬送流量とを記憶する記憶手段と、該記憶手段に記憶した初期片搬送流量に基づいて、前記風呂往き管内の詰まりを判定する第１判定流量を設定すると共に、前記記憶手段に記憶した初期両搬送流量に基づいて、前記風呂戻り管内の詰まりを判定する第２判定流量を設定する設定手段と、次回からの前記湯張り運転の際、前記片搬送湯張りを行っているときに、前記風呂流量検出手段の検出流量が前記設定手段で設定された第１判定流量未満であったら、前記風呂往き管内の詰まりと判定すると共に、前記両搬送湯張りを行っているときに、前記風呂流量検出手段の検出流量が前記設定手段で設定された第２判定流量未満、且つ前記風呂往き管内の詰まりなしと判定されていれば、前記風呂戻り管内の詰まりと判定する判定手段とを設けたことを特徴とする風呂給湯装置。
【請求項２】
請求項１記載の風呂給湯装置において、前記熱源機により生成された湯を給湯端末へ供給するための給湯管と、該給湯管に設けられ給湯端末からの出湯を検出する給湯流量検出手段とを設け、前記次回からの湯張り運転時であって、前記浴槽への片搬送湯張りと前記給湯端末からの出湯とが同時に行われた場合、前記設定手段は、前記片搬送湯張り時の判定流量を前記第１判定流量より小さい第３判定流量に設定するようにし、前記判定手段は、前記片搬送湯張りを行っているときに、前記風呂流量検出手段の検出流量が前記設定手段で設定された第３判定流量未満であったら、前記風呂往き管内の詰まりと判定するようにした風呂給湯装置。
【請求項３】
請求項１または２記載の風呂給湯装置において、前記熱源機により生成された湯を給湯端末へ供給するための給湯管と、該給湯管に設けられ給湯端末からの出湯を検出する給湯流量検出手段とを設け、前記次回からの湯張り運転時であって、前記浴槽への両搬送湯張りと前記給湯端末からの出湯とが同時に行われた場合、前記設定手段は、前記両搬送湯張り時の判定流量を前記第２判定流量より小さい第４判定流量に設定するようにし、前記判定手段は、前記両搬送湯張りを行っているときに、前記風呂流量検出手段の検出流量が前記設定手段で設定された第４判定流量未満、且つ前記風呂往き管内の詰まりと判定されていなければ、前記風呂戻り管内の詰まりと判定するようにした風呂給湯装置。
【請求項４】
請求項２記載の風呂給湯装置において、前記設定手段は、前記給湯流量検出手段の検出流量に応じて前記第３判定流量を設定するようにした風呂給湯装置。
【請求項５】
請求項３記載の風呂給湯装置において、前記設定手段は、前記給湯流量検出手段の検出流量に応じて前記第４判定流量を設定するようにした風呂給湯装置。
【発明の詳細な説明】
【技術分野】
【０００１】
この発明は、湯垢等による風呂往き管、風呂戻り管の詰まりを判定する風呂給湯装置に関するものである。
【背景技術】
【０００２】
従来この種の風呂給湯装置においては、浴槽に接続され風呂循環回路を形成する風呂往き管側、風呂戻り管側の片方ずつに給水を行い、給水中に流量センサの検出する検出流量が予め設定された所定流量以下であったら、給水を行っている方の風呂配管は詰まり等により異常であると判定するものがあった（例えば、特許文献１参照。）。
【先行技術文献】
【特許文献】
【０００３】
【特許文献１】特開２００３−２９４３０４号公報
【発明の概要】
【発明が解決しようとする課題】
【０００４】
ところで、従来の風呂給湯装置は、一般的に、浴槽と接続する風呂往き管および風呂戻り管の施工の仕方は各設置場所において一様ではなく、例えば、風呂往き管および風呂戻り管が途中で鳥居配管となっている場合があったり、また、浴槽が２階や３階といった階上に設置され、地上から浴槽のある箇所まで風呂往き管および風呂戻り管を延ばして接続する場合があったりする。
【０００５】
上述のように、風呂往き管および風呂戻り管において、圧力損失が増加するような施工がされると、浴槽に湯水を供給ようとした時、供給される湯水の流量は減少して小流量となる。この場合、配管の詰まり等の異常判定に用いる前記所定流量が前記小流量と近い値であったとすると、風呂往き管または風呂戻り管の配管内に少しだけ湯垢等が付着、堆積しただけであって、実際には詰まった状態とは程遠い状態であったとしても、前記小流量が前記所定流量に達する可能性があり、前記小流量が前記所定流量に達した時は、風呂往き管または風呂戻り管の配管内は詰まっているといった異常が生じていないにも関わらず、異常があると誤判定してしまうという問題があった。
【課題を解決するための手段】
【０００６】
そこで、この発明は上記課題を解決するために、特に請求項１ではその構成を、浴槽と、該浴槽に接続された風呂往き管および風呂戻り管からなる風呂循環回路と、該風呂循環回路に接続され熱源機により生成された湯を前記浴槽へ湯張りするための湯張り管と、該湯張り管に設けられ前記浴槽への湯張り流量を検出する風呂流量検出手段と、前記風呂循環回路に設けられ前記風呂往き管のみから前記浴槽に注湯し片搬送湯張りさせる片搬送状態と、前記風呂往き管と前記風呂戻り管との両方から前記浴槽に注湯し両搬送湯張りさせる両搬送状態とに切換可能な切換手段と、前記片搬送湯張りおよび前記両搬送湯張りにより前記浴槽に湯張りを行う湯張り運転を行わせる制御手段とを備えた風呂給湯装置において、初回の前記湯張り運転の際、前記片搬送湯張りを行っているときに前記風呂流量検出手段の検出する初期片搬送流量と、前記両搬送湯張りを行っているときに前記風呂流量検出手段の検出する初期両搬送流量とを記憶する記憶手段と、該記憶手段に記憶した初期片搬送流量に基づいて、前記風呂往き管内の詰まりを判定する第１判定流量を設定すると共に、前記記憶手段に記憶した初期両搬送流量に基づいて、前記風呂戻り管内の詰まりを判定する第２判定流量を設定する設定手段と、次回からの前記湯張り運転の際、前記片搬送湯張りを行っているときに、前記風呂流量検出手段の検出流量が前記設定手段で設定された第１判定流量未満であったら、前記風呂往き管内の詰まりと判定すると共に、前記両搬送湯張りを行っているときに、前記風呂流量検出手段の検出流量が前記設定手段で設定された第２判定流量未満、且つ前記風呂往き管内の詰まりなしと判定されていれば、前記風呂戻り管内の詰まりと判定する判定手段とを設けたものとした。
【０００７】
また、請求項２では、請求項１記載の風呂給湯装置において、前記熱源機により生成された湯を給湯端末へ供給するための給湯管と、該給湯管に設けられ給湯端末からの出湯を検出する給湯流量検出手段とを設け、前記次回からの湯張り運転時であって、前記浴槽への片搬送湯張りと前記給湯端末からの出湯とが同時に行われた場合、前記設定手段は、前記片搬送湯張り時の判定流量を前記第１判定流量より小さい第３判定流量に設定するようにし、前記判定手段は、前記片搬送湯張りを行っているときに、前記風呂流量検出手段の検出流量が前記設定手段で設定された第３判定流量未満であったら、前記風呂往き管内の詰まりと判定するものとした。
【０００８】
また、請求項３では、請求項１または２記載の風呂給湯装置において、前記熱源機により生成された湯を給湯端末へ供給するための給湯管と、該給湯管に設けられ給湯端末からの出湯を検出する給湯流量検出手段とを設け、前記次回からの湯張り運転時であって、前記浴槽への両搬送湯張りと前記給湯端末からの出湯とが同時に行われた場合、前記設定手段は、前記両搬送湯張り時の判定流量を前記第２判定流量より小さい第４判定流量に設定するようにし、前記判定手段は、前記両搬送湯張りを行っているときに、前記風呂流量検出手段の検出流量が前記設定手段で設定された第４判定流量未満、且つ前記風呂往き管内の詰まりと判定されていなければ、前記風呂戻り管内の詰まりと判定するものとした。
【０００９】
また、請求項４では、請求項２記載の風呂給湯装置において、前記設定手段は、前記給湯流量検出手段の検出流量に応じて前記第３判定流量を設定するものとした。
【００１０】
また、請求項５では、請求項３記載の風呂給湯装置において、前記設定手段は、前記給湯流量検出手段の検出流量に応じて前記第４判定流量を設定するものとした。
【発明の効果】
【００１１】
この発明の請求項１によれば、初回の湯張り運転の際に、初期片搬送流量および初期両搬送流量を記憶手段に記憶し、その初期片搬送流量および初期両搬送流量に基づいて、設定手段は風呂往き管内および風呂戻り管内の詰まりを判定するための判定流量を設定するので、各設置場所の風呂往き管および風呂戻り管の施工状況に応じた適切な判定流量を設定することができ、判定手段は次回からの湯張り運転の際、片搬送湯張りを行っているときに、風呂流量検出手段の検出流量が設定手段で設定された第１判定流量未満であったら、風呂往き管内の詰まりと判定すると共に、両搬送湯張りを行っているときに、風呂流量検出手段の検出流量が前記設定手段で設定された第２判定流量未満、且つ前記風呂往き管内の詰まりなしと判定されていれば、前記風呂戻り管内の詰まりと判定するので、風呂往き管内および風呂戻り管内の詰まりを精度良く判定することができ、不具合のある風呂配管のみ交換等の処置を行うことができるものである。
【００１２】
また、請求項２によれば、熱源機により生成された湯を給湯端末へ供給するための給湯管と、給湯管に設けられ給湯端末からの出湯を検出する給湯流量検出手段とを設け、次回からの湯張り運転時であって、浴槽への片搬送湯張りと給湯端末からの出湯とが同時に行われた場合、設定手段は、片搬送湯張り時の判定流量を前記第１判定流量より小さい第３判定流量に設定するようにしたことで、浴槽への片搬送湯張りと給湯端末からの出湯とが同時に行われた場合に、同時出湯に伴う湯張り流量の減少を考慮した適切な判定流量を設定することができ、判定手段は片搬送湯張りを行っているときに、風呂流量検出手段の検出する流量が設定手段で設定された第３判定流量未満であったら、風呂往き管内の詰まりと判定することで、同時出湯に伴う湯張り流量の減少を風呂往き管の詰まりと誤判定するなく、風呂往き管内の詰まりを精度良く判定することができるものである。
【００１３】
また、請求項３によれば、熱源機により生成された湯を給湯端末へ供給するための給湯管と、給湯管に設けられ給湯端末からの出湯を検出する給湯流量検出手段とを設け、次回からの湯張り運転時であって、浴槽への両搬送湯張りと給湯端末からの出湯とが同時に行われた場合、設定手段は、両搬送湯張り時の判定流量を第２判定流量より小さい第４判定流量に設定するようにしたことで、浴槽への両搬送湯張りと給湯端末からの出湯とが同時に行われた場合に、同時出湯に伴う湯張り流量の減少を考慮した適切な判定流量を設定することができ、判定手段は、両搬送湯張りを行っているときに、風呂流量検出手段の検出流量が設定手段で設定された第４判定流量未満、且つ風呂往き管内の詰まりと判定されていなければ、風呂戻り管内の詰まりと判定することで、同時出湯に伴う湯張り流量の減少を風呂戻り管の詰まりと誤判定するなく、風呂戻り管内の詰まりを精度良く判定することができるものである。
【００１４】
また、請求項４によれば、設定手段は、給湯流量検出手段の検出流量に応じて第３判定流量を設定するようにしたことで、設定手段は、同時出湯に伴う湯張り流量の減少を考慮した判定流量をより適切に設定することができるものである。
【００１５】
また、請求項５によれば、設定手段は、給湯流量検出手段の検出流量に応じて第４判定流量を設定するようにしたことで、設定手段は、同時出湯に伴う湯張り流量の減少を考慮した判定流量をより適切に設定することができるものである。
【図面の簡単な説明】
【００１６】
【図１】この発明の風呂給湯装置の一実施形態の概略構成図。
【図２】同一実施形態の風呂三方弁の動作説明図。
【図３】同一実施形態の要部ブロック図。
【図４】同一実施形態の風呂往き管および風呂戻り管の詰まり判定方法を示すフローチャート。
【発明を実施するための形態】
【００１７】
次に、本発明の風呂給湯装置の一実施形態について図１〜図３に基づき説明する。
１は湯水を貯湯する貯湯タンク２を有した貯湯タンクユニット、３は貯湯タンク２内の湯水を加熱する加熱手段としてのヒートポンプユニット、４は貯湯タンク２とヒートポンプユニット３とを湯水が循環するよう環状に接続した加熱循環回路であり、貯湯タンク２とヒートポンプユニット３と加熱循環回路４とで湯を生成する熱源機を構成するものである。また、５は台所や洗面所等に設けられた給湯端末としての給湯栓、６はこの貯湯式給湯装置を遠隔操作するリモコン、７は浴槽である。
【００１８】
８は貯湯タンク２の下部に接続され貯湯タンク２に給水する給水管、９は給水管８途中に設けられ給水圧を所定の圧力まで減圧する減圧弁、１０は給水管８途中に設けられ給水の温度を検出する給水温度センサ、１１は貯湯タンク２の上部に接続され貯湯タンク２上部から高温の湯を取り出す出湯管、１２は貯湯タンク２の上部に設けられ貯湯タンク２内の過圧を逃がす負圧作動弁付きの過圧逃がし弁である。
【００１９】
１３は減圧弁９より下流側で給水管８から分岐した第１給水バイパス管、１４は出湯管１１からの高温の湯と第１給水バイパス管１３からの水とをリモコン６で設定した給湯設定温度になるように内部の弁体の弁開度を調整した混合する給湯混合弁、１５は給湯混合弁１４で混合された湯を給湯栓５に供給する給湯管、１６は給湯混合弁１４で混合後の湯の温度を検出する給湯温度センサ、１７は給湯管１５内の給湯の流れを検知すると共に、時間当たりの給湯流量を検出する給湯流量検出手段としての給湯流量センサである。
【００２０】
１８は出湯管１１から分岐した湯張り管、１９は減圧弁９より下流側で給水管８から分岐した第２給水バイパス管、２０は湯張り管１８からの高温の湯と第２給水バイパス管１９からの水とをリモコン６で設定した風呂設定温度になるように内部の弁体の弁開度を調整した混合する風呂混合弁、２１は風呂混合弁２０の下流の湯張り管１８に設けられ風呂混合弁２０で混合後の湯の温度を検出する湯張り温度センサである。
【００２１】
前記風呂混合弁２０より下流の湯張り管１８には、浴槽７への湯張りの開始／停止を行う湯張り弁２２と、浴槽７への時間当たりの湯張り流量を検出する風呂流量検出手段としての風呂流量センサ２３と、浴槽７からの浴槽水の逆流を防ぐ二重の逆止弁２４とが設けられているものである。
【００２２】
前記湯張り管１８は浴槽７の浴槽水を循環させる風呂循環回路２５に接続され、この風呂循環回路２５は風呂往き管２６および風呂戻り管２７で構成され、風呂往き管２６は、その始端が湯張り管１８と風呂循環回路２５との接続部で風呂戻り管２７と連通し、終端が浴槽７に接続される風呂配管で、風呂戻り管２７は、その始端が湯張り管１８と風呂循環回路２５との接続部で風呂往き管２６と連通し、終端が浴槽水を加熱する風呂熱交換器２８を介して浴槽７に接続される風呂配管である。また、風呂循環回路２５には風呂循環回路２５内の湯水の温度を検出する風呂温度センサ２９と、浴槽水を循環させる風呂循環ポンプ３０と、浴槽水の水圧から浴槽７内の水位を検出する水位センサ３１とが設けられているものである。
【００２３】
３２は風呂熱交換器２８をバイパスし、風呂戻り管２７同士を接続する風呂バイパス管、３３は風呂バイパス管３２と風呂戻り管２７との接続部に設けられ、風呂往き管２６のみから浴槽７に注湯し湯張りさせる片搬送状態と風呂往き管２６と風呂戻り管２７との両方から浴槽７に注湯し湯張りさせる両搬送状態とに切換可能な電動三方弁より成る切換手段としての風呂三方弁である。
【００２４】
前記風呂三方弁３３は、流入側の接続口３３ａに風呂往き管２６と連通する風呂戻り管２７を接続し、２つの流出側の接続口３３ｂ、３３ｃのうち、一方の接続口３３ｂには風呂熱交換器２８の入口側を接続し、他方の接続口３３ｃには風呂バイパス管３２を接続し、電動モータ（図示せず）の駆動で内方の弁体を動かして、図２（ア）に示すように、風呂往き管２６と連通する風呂戻り管２７側と風呂バイパス管３２側を連通し風呂熱交換器２８の入口側を閉塞することで、風呂往き管２６と風呂戻り管２７との両方から浴槽７に注湯させ湯張りすることができる両搬送状態と、図２（イ）に示すように、風呂往き管２６と連通する風呂戻り管２７側と風呂熱交換器２８の入口側を連通し風呂バイパス管３２側を閉塞することで、風呂往き管２６と風呂戻り管２７との両方から浴槽７に注湯させ湯張りすることができる両搬送状態と、図２（ウ）に示すように、風呂往き管２６と連通する風呂戻り管２７側を閉塞し、風呂往き管２６のみから浴槽７に注湯させ湯張りすることができる片搬送状態とに少なくとも切換可能なものである。
【００２５】
前記リモコン６には、給湯設定温度を設定する給湯温度設定スイッチ３４と、風呂設定温度を設定する風呂温度設定スイッチ３５と、浴槽７へ風呂設定温度の湯をリモコン６の湯張り量設定スイッチ（図示せず）で設定された湯張り量注湯させ湯張りする湯張り運転を指示する湯張りスイッチ３６と、浴槽７内の浴槽水を風呂熱交換器２８に循環させ追い焚きさせるあつめスイッチ３７が設けられているものである。
【００２６】
３８はヒートポンプユニット３の駆動開始・停止制御や、貯湯タンクユニット１内の各センサの入力を受け、各アクチュエータの駆動を制御する制御手段で、この制御手段３８はリモコン６と無線または有線により通信可能に接続され、リモコン６の湯張りスイッチ３６が操作されると、熱源機からの湯を湯張り管１８を介して浴槽７に注湯する湯張り運転が開始され、制御手段３８は風呂三方弁３３を制御することで、風呂往き管２６のみから浴槽７に注湯する片搬送湯張りと、風呂往き管２６および風呂戻り管２７の両方から浴槽７に注湯する両搬送湯張りとを行うものである。
【００２７】
前記制御手段３８は、風呂給湯装置を設置し風呂往き管２６および風呂戻り管２７の風呂配管の施工を終えた後、試運転等で行われる初回の湯張り運転の際に、前記片搬送湯張りを行っているときに風呂流量センサ２３の検出する湯張り流量（初期片搬送流量）と前記両搬送湯張りを行っているときに風呂流量センサ２３の検出する湯張り流量（初期両搬送流量）とを記憶する記憶手段３９を備えているものである。
【００２８】
また、制御手段３８は、記憶手段３９に記憶した初期片搬送流量に基づいて、湯垢等の付着、堆積による風呂往き管２６内の詰まりを判定するための第１判定流量を設定すると共に、記憶手段３９に記憶した初期両搬送流量に基づいて、湯垢等の付着、堆積による風呂戻り管２７内の詰まりを判定するための第２判定流量を設定する設定手段４０とを備えているものである。この設定手段４０は、湯張り運転における片搬送湯張りと給湯栓５からの出湯が同時に行われる同時出湯時には、前記第１判定流量より小さい第３判定流量を、初期片搬送流量または第１判定流量に基づき設定し、また、湯張り運転における両搬送湯張りと給湯栓５からの出湯が同時に行われる同時出湯時には、前記第２判定流量より小さい第４判定流量を、初期両搬送流量または第２判定流量に基づき設定するものである。なお、設定手段４０で設定される第１判定流量および第２判定流量は、例えば、記憶手段３９に記憶された初期片搬送流量および初期両搬送流量の４割程度の流量が各々設定され、第３判定流量および第４判定流量は、記憶手段３９に記憶された初期片搬送流量および初期両搬送流量の３割程度の流量、あるいは第１判定流量および第２判定流量の８割程度の流量が各々設定されるものである。
【００２９】
さらに、前記制御手段３８は、初回を除く次回からの湯張り運転の際に、前記片搬送湯張りを行っているときに風呂流量センサ２３の検出する流量と設定手段４０で設定された第１判定流量とを比較し、風呂流量センサ２３の検出流量が第１判定流量未満の場合は風呂往き管２６内の詰まりを判定すると共に、前記両搬送湯張りを行っているときに風呂流量センサ２３の検出する流量と設定手段４０で設定された第２判定流量とを比較し、風呂流量センサ２３の検出流量が第２判定流量未満、且つ、前記片搬送湯張り時に風呂往き管２６内の詰まりなしと判定されていると判断した場合は、風呂戻り管２７内の詰まりを判定する判定手段４１を備え、湯張り運転時に風呂往き管２６と風呂戻り管２７のどちらの風呂配管に不具合があるのか把握することができるものである。
【００３０】
前記判定手段４１は、次回からの湯張り運転の際、湯張り運転における片搬送湯張りと給湯栓５からの出湯が同時に行われる同時出湯時に、片搬送湯張りを行っているときの風呂流量センサ２３の検出流量が設定手段４０で設定された第３判定流量未満であったら、風呂往き管２６内の詰まりと判定し、また、湯張り運転における両搬送湯張りと給湯栓５からの出湯が同時に行われる同時出湯時に、両搬送湯張りを行っているときの風呂流量センサ２３の検出流量が設定手段４０で設定された第４判定流量未満、且つ風呂往き管２６内の詰まりと判定されていなければ、風呂戻り管２７内の詰まりと判定するものである。
【００３１】
また、前記判定手段４１は、両搬送湯張りを行っているときの検出流量と第２判定流量との比較で風呂戻り管２７内の詰まりを判定するようにしているが、これは、前記判定手段４１によって片搬送湯張りを行っているときの検出流量と第１判定流量との比較で風呂往き管２６が詰まっていないと判定され、両搬送湯張りを行っているときの検出流量と第２判定流量との比較で詰まっていると判定された場合は、詰まりが疑われるのは風呂戻り管２７内であるからであり、両搬送時の流量を把握すれば風呂戻り管２７内の詰まりを判定することができるからである。
【００３２】
次に、図１に示した風呂給湯装置の特徴的な動作である風呂往き管２６内および風呂戻り管２７内の詰まり判定方法について、図４のフローチャートを用いて説明する。
まず、制御手段３８は、浴槽７に湯張りする湯張り運転が行われる際、風呂給湯装置を設置し風呂往き管２６および風呂戻り管２７の風呂配管の施工を終えた後、試運転等で行われる初回の湯張り運転か否かを判断し（ステップＳ１）、初回の湯張り運転であると判断すると、風呂三方弁３３を、図２（ウ）に示すような、風呂往き管２６と連通する風呂戻り管２７側を閉塞して片搬送状態とし（ステップＳ２）、湯張り弁２２を開弁して、湯張り管１８からの高温の湯と第２給水バイパス管１９からの水とを風呂混合弁２０で風呂設定温度に混合した湯を湯張り管１８を介して風呂往き管２６のみから浴槽７に注湯させる片搬送湯張りを開始させ、風呂循環ポンプ３０および水位センサ３１のエアパージを行い、片搬送湯張りを行っているときに風呂流量センサ２３の検出する湯張り流量（初期片搬送流量）を記憶手段３９に記憶し（ステップＳ３）、設定手段４０は、記憶手段３９に記憶された初期片搬送流量に基づいて風呂往き管２６内の詰まりを判定するための第１判定流量の設定を行うものである。なお、記憶手段３９に記憶される初期片搬送流量は、片搬送湯張りを開始して所定時間経過後の湯張り流量安定時に風呂流量センサ２３で検出される流量を記憶するものとする。
【００３３】
続いて、制御手段３８は、風呂流量センサ２３で検出した湯量の積算値から、注湯開始して所定量注湯したか否か判断し（ステップＳ４）、所定量注湯したと判断すると、図２（ア）に示すように、風呂往き管２６と連通する風呂戻り管２７側と風呂バイパス管３２側を連通し風呂熱交換器２８の入口側を閉塞して両搬送状態とし（ステップＳ５）、風呂往き管２６と風呂戻り管２７との両方から浴槽７に注湯させる両搬送湯張りを開始させ、両搬送湯張りを行っているときに風呂流量センサ２３の検出する湯張り流量（初期両搬送流量）を記憶手段３９に記憶し（ステップＳ６）、設定手段４０は、記憶手段３９に記憶された初期両搬送流量に基づいて風呂戻り管２７内の詰まりを判定するための第２判定流量の設定を行う。そして、風呂流量センサ２３で検出した湯量の積算値から、設定された湯張り量注湯されたか否か判断し（ステップＳ７）、設定量注湯したと判断すると、湯張り弁２２を閉弁して初回の湯張り運転を終了するものである。なお、記憶手段３９に記憶される初期両搬送流量は、両搬送湯張りを開始して所定時間経過後の湯張り流量安定時に風呂流量センサ２３で検出される流量を記憶するものとする。
【００３４】
一方、前記ステップＳ１で、初回の湯張り運転でないと判断された場合は、制御手段３８は、風呂三方弁３３を、図２（ウ）に示すような、風呂往き管２６と連通する風呂戻り管２７側を閉塞して片搬送状態とし（ステップＳ８）、湯張り弁２２を開弁して、湯張り管１８からの高温の湯と第２給水バイパス管１９からの水とを風呂混合弁２０で風呂設定温度に混合した湯を湯張り管１８を介して風呂往き管２６のみから浴槽７に注湯させる片搬送湯張りを開始させ、風呂循環ポンプ３０および水位センサ３１のエアパージを行い、判定手段４１は、片搬送湯張りを行っているときに風呂流量センサ２３の検出する湯張り流量と、設定手段４０で設定された第１判定流量とを比較し、検出流量が第１判定流量未満か否かを判断し（ステップＳ９）、検出流量が第１判定流量未満であると判断すると、風呂往き管２６内が湯垢等の付着により詰まっていると判定し、風呂往き管２６内が詰まっている旨の内容のエラーをリモコン６から報知するものである（ステップＳ１０）。なお、前記ステップＳ９における風呂流量センサ２３の検出流量と第１判定流量の比較は、片搬送湯張りを開始して所定時間経過した後の湯張り流量安定時から開始するものとする。
【００３５】
また、前記ステップ１０でエラー報知を行った後、あるいは前記ステップＳ９で、判定手段４１が、風呂流量センサ２３の検出する検出流量が第１判定流量未満でないと判断した場合、制御手段３８は、風呂流量センサ２３で検出した湯量の積算値から、注湯開始してから所定量注湯したか否か判断し（ステップＳ１１）、所定量注湯していないと判断すると、前記ステップＳ９の処理に戻り、前記ステップＳ１１で、浴槽７へ注湯を開始してから所定量注湯したと判断すると、風呂三方弁３３を図２（ア）に示すように、風呂往き管２６と連通する風呂戻り管２７側と風呂バイパス管３２側を連通し風呂熱交換器２８の入口側を閉塞して両搬送状態とし（ステップＳ１２）、風呂往き管２６と風呂戻り管２７との両方から浴槽７に注湯させる両搬送湯張りを開始させ、判定手段４１は、両搬送湯張りを行っているときに風呂流量センサ２３の検出する湯張り流量と設定手段４０で設定された第２判定流量とを比較し、風呂流量センサ２３の検出流量が第２判定流量未満か否かを判断し（ステップＳ１３）、検出流量が第２判定流量未満であると判断すると、前記ステップＳ９の処理において風呂往き管２６内の詰まりなしと判定されたか否か判断し（ステップＳ１４）、風呂往き管２６内の詰まりがないと判定されたと判断すると、風呂戻り管２７内が湯垢等の付着により詰まっていると判定し、風呂戻り管２７内が詰まっている旨の内容のエラーをリモコン６から報知するものである（ステップＳ１５）。なお、前記ステップＳ１３における風呂流量センサ２３の検出流量と第２判定流量の比較は、両搬送湯張りを開始して所定時間経過した後の湯張り流量安定時から開始するものとする。
【００３６】
また、前記ステップＳ１３で、判定手段４１が、風呂流量センサ２３の検出する検出流量が第２判定流量未満でないと判断した場合、あるいは前記ステップＳ１４で前記ステップＳ９の処理において風呂往き管２６内の詰まりありと判定されたと判断した場合、あるいは前記ステップ１５でエラー報知を行った後、制御手段３８は、風呂流量センサ２３で検出した湯量の積算値から、設定された湯張り量注湯されたか否か判断し（ステップＳ１６）、風呂流量センサ２３で検出した湯量の積算値から、設定された湯張り量が注湯されていないと判断すると、前記ステップＳ１３の処理に戻り、前記ステップＳ１６で風呂流量センサ２３で検出した湯量の積算値から、設定量注湯したと判断すると、湯張り弁２２を閉弁して湯張り運転を終了するものである。
【００３７】
ここで、湯張り運転を行っているときに給湯栓５からの出湯が開始される、もしくは給湯栓５から出湯しているときに湯張り運転が開始されるというように、風呂流量センサ２３および給湯流量センサ１７の検出流量から浴槽７への湯張りと給湯栓５からの出湯が同時に行われると判断される同時出湯の場合について、以下に例を挙げて説明する。
【００３８】
前記湯張り運転中であって、片搬送湯張りを行うときや片搬送湯張りが行われている最中に、給湯栓５が開栓され、給湯流量センサ１７が出湯を検出し、制御手段３８が同時出湯と判断すると、設定手段４０は、風呂往き管２６内の詰まりを判定するための片搬送時の判定流量を湯張り運転単独時の前記第１判定流量よりも小さい第３判定流量に設定し、前記ステップＳ９の処理において、判定手段４１は、片搬送湯張り時に風呂流量センサ２３の検出する湯張り流量と第３判定流量との比較を行い、風呂流量センサ２３の検出する湯張り流量が第３判定流量未満であったら、風呂往き管２６内の詰まりと判定するものである。
【００３９】
また、前記湯張り運転中であって、両搬送湯張りを行うときや両搬送湯張りが行われている最中に、給湯栓５から出湯され、給湯流量センサ１７が給湯の流れを検知し、制御手段３８が同時出湯と判断すると、設定手段４０は、風呂戻り管２７内の詰まりを判定するための両搬送湯張り時の判定流量を湯張り運転単独時の第２判定流量よりも小さい第４判定流量に設定し、前記ステップＳ１３の処理において、判定手段４１は、両搬送湯張り時に風呂流量センサ２３の検出する湯張り流量と第４判定流量との比較を行い、風呂流量センサ２３の検出する湯張り流量が第４判定流量未満で、且つ前記ステップＳ１４で、前記ステップＳ９の処理において風呂往き管２６内の詰まりがないと判定されたと判断すると、前記ステップＳ１５で、風呂戻り管２７内の詰まりと判定するものである。
【００４０】
以上説明した風呂往き管２６内および風呂戻り管２７内の詰まり判定方法において、初回の湯張り運転の際に、初期片搬送流量および初期両搬送流量を記憶手段３９に記憶し、その初期片搬送流量および初期両搬送流量に基づいて、設定手段４０は風呂往き管２６内および風呂戻り管２７内の詰まりを判定するための判定流量を設定するので、各設置場所の風呂往き管２６および風呂戻り管２７の施工状況に応じた適切な判定流量を設定することができ、判定手段４１は、次回からの湯張り運転の際、片搬送湯張りを行っているときに、風呂流量センサ２３の検出する流量が設定手段４０で設定された第１判定流量未満であったら、風呂往き管２６の詰まりと判定すると共に、両搬送湯張りを行っているときに、風呂流量センサ２３の検出する流量が設定手段４０で設定された第２判定流量未満、且つ片搬送湯張り時に風呂往き管２６内の詰まりなしと判定されていれば、風呂戻り管２７内の詰まりと判定することで、風呂往き管２６内および風呂戻り管２７内の詰まりを精度良く判定することができ、不具合のある風呂配管のみ交換等の処置を行うことができるものである。
【００４１】
また、浴槽７への湯張りと給湯栓５からの出湯が同時に行われる同時出湯時において、片搬送湯張りと給湯栓５からの出湯が同時に行われる場合、設定手段４０は、片搬送湯張り時の判定流量を第１判定流量よりも小さい第３判定流量に設定することで、同時出湯に伴う湯張り流量の減少を考慮した適切な判定流量を設定することができ、判定手段４１は、片搬送湯張り時に風呂流量センサ２３の検出する流量が設定手段４０で設定された第３判定流量未満であると判断したら、風呂往き管２６内の詰まりと判定することで、同時出湯に伴う湯張り流量の減少を風呂往き管２６の詰まりと誤判定することなく、風呂往き管２６内の詰まりを精度良く判定することができるものである。
【００４２】
また、浴槽７への湯張りと給湯栓５からの出湯が同時に行われる同時出湯時において、両搬送湯張りと給湯栓５からの出湯が同時に行われる場合、設定手段４０は、両搬送湯張り時の判定流量を第２判定流量よりも小さい第４判定流量に設定することで、同時出湯に伴う湯張り流量の減少を考慮した適切な判定流量を設定することができ、判定手段４１は、両搬送湯張り時に風呂流量センサ２３の検出する流量が設定手段４０で設定された第４判定流量未満で、且つ片搬送湯張り時に風呂往き管２６内の詰まりと判定されていないと判断したら、風呂戻り管２７内の詰まりと判定することで、同時出湯に伴う湯張り流量の減少を風呂戻り管２７内の詰まりと誤判定することなく、風呂戻り管２７内の詰まりを精度良く判定することができるものである。
【００４３】
また、本実施形態では、浴槽７への湯張りと給湯栓５からの出湯とが同時に行われる同時出湯時において、片搬送湯張りと給湯栓５からの出湯が同時に行われる場合、設定手段４０は、例えば、片搬送湯張り時の第３判定流量を湯張り運転単独時の第１判定流量の８割程度の流量とし、湯張り運転単独時の第１判定流量より小さい第３判定流量に設定するようにしているが、設定手段４０は、同時出湯時に給湯流量センサ１７の検出する給湯流量に応じて、湯張り運転単独時の第１判定流量からの下げ幅を可変、例えば、給湯流量センサ１７で検出する給湯流量が多い場合は下げ幅を大きくし、給湯流量センサ１７で検出する給湯流量が少ない場合は下げ幅を小さくして、同時出湯時の第３判定流量を設定するようにしてもよく、そうすることで、設定手段４０は、同時出湯に伴う湯張り流量の減少を考慮した判定流量をより適切に設定することができ、判定手段４１は、風呂往き管２６内の詰まりをより正確に判定することができるものである。
【００４４】
また、本実施形態では、浴槽７への湯張りと給湯栓５からの出湯とが同時に行われる同時出湯時において、両搬送湯張りと給湯栓５からの出湯が同時に行われる場合、設定手段４０は、例えば、両搬送湯張り時の第４判定流量を湯張り運転単独時の第２判定流量の８割程度の流量とし、湯張り運転単独時の第２判定流量より小さい第４判定流量に設定するようにしているが、設定手段４０は、同時出湯時に給湯流量センサ１７の検出する給湯流量に応じて、湯張り運転単独時の第２判定流量からの下げ幅を可変、例えば、給湯流量センサ１７で検出する給湯流量が多い場合は下げ幅を大きくし、給湯流量センサ１７で検出する給湯流量が少ない場合は下げ幅を小さくして、同時出湯時の第４判定流量を設定するようにしてもよく、そうすることで、設定手段４０は、同時出湯に伴う湯張り流量の減少を考慮した判定流量をより適切に設定することができ、判定手段４１は、風呂戻り管２７内の詰まりをより正確に判定することができるものである。
【００４５】
また、本実施形態では、前記ステップＳ９において、判定手段４１は、風呂流量センサ２３の検出する流量と設定手段４０で設定した第１判定流量とを比較して、検出流量が第１判定流量未満であると判断すると、風呂往き管２６内が詰まっていると判定してエラー報知するものとしたが、判定手段４１は、風呂流量センサ２３の検出する湯張り流量が設定手段４０で設定した第１判定流量未満である状態が、例えば所定時間連続したら、風呂往き管２６内が詰まっていると判定してエラー報知するものとしてもよく、そうすることで、判定手段４１は、給水圧が一時的に低下した際に片搬送湯張りを行った時の、給水圧低下に伴う湯張り流量の一時的な低下を風呂往き管２６内の詰まりと誤判定するなく、風呂往き管２６内の詰まりをより正確に判定することができるものである。なお、前記ステップＳ１３においても、同様に、判定手段４１は、風呂流量センサ２３の検出する湯張り流量が設定手段４０で設定した第２判定流量未満で、且つ片搬送湯張り時に風呂往き管２６内の詰まりなしと判定されている状態が、例えば所定時間連続したら、風呂戻り管２７内が詰まっていると判定してエラー報知するものとしてもよく、そうすることで、判定手段４１は、給水圧が一時的に低下した際に両搬送湯張りを行った時の、給水圧低下に伴う湯張り流量の一時的な低下を風呂戻り管２７内の詰まりと誤判定するなく、風呂戻り管２７内の詰まりをより正確に判定することができるものである。
【００４６】
また、前記同時出湯時においても、上記と同様に、判定手段４１は、風呂流量センサ２３の検出する湯張り流量が設定手段４０で設定した第３判定流量未満である状態が、例えば所定時間連続したら、風呂往き管２６内が詰まっていると判定してエラー報知するものとしてもよく、そうすることで、判定手段４１は、給水圧が一時的に低下した際に片搬送湯張りを行った時の、給水圧低下に伴う湯張り流量の一時的な低下を風呂往き管２６内の詰まりと誤判定するなく、風呂往き管２６内の詰まりをより正確に判定することができるものであり、さらに、判定手段４１は、風呂流量センサ２３の検出する湯張り流量が設定手段４０で設定した第４判定流量未満で、且つ片搬送湯張り時に風呂往き管２６内の詰まりなしと判定されている状態が、例えば所定時間連続したら、風呂戻り管２７内が詰まっていると判定してエラー報知するものとしてもよく、そうすることで、判定手段４１は、給水圧が一時的に低下した際に両搬送湯張りを行った時の、給水圧低下に伴う湯張り流量の一時的な低下を風呂戻り管２７内の詰まりと誤判定するなく、風呂戻り管２７内の詰まりをより正確に判定することができるものである。
【００４７】
なお、本発明は先に説明した一実施形態に限定されるものでなく、本実施形態では、貯湯タンク２とヒートポンプユニット３と加熱循環回路４とで湯を生成する熱源機を構成していたが、熱源機としては、湯水を貯湯する貯湯タンクと貯湯タンク内に配置した電気ヒータを具備し、電気ヒータを通電させて貯湯タンク内の湯水を加熱し湯を生成する電気温水器であってもよく、水を流通させる熱交換器と、灯油やガスを燃料とする燃焼バーナとを具備し、燃焼バーナの燃焼により熱交換器を介して流通する水を加熱して湯を生成する石油給湯器やガス給湯器であってもよいものであり、特に限定するものではない。
【００４８】
また、本実施形態では、湯張り運転の両搬送湯張りの際に、風呂三方弁３３を、図２（ア）に示すような両搬送状態としたが、風呂三方弁３３を、図２（イ）に示すような両搬送状態としてもよいものである。
【符号の説明】
【００４９】
２  貯湯タンク
３  ヒートポンプユニット
４  加熱循環回路
５  給湯栓
７  浴槽
１５  給湯管
１７  給湯流量センサ
１８  湯張り管
２３  風呂流量センサ
２５  風呂循環回路
２６  風呂往き管
２７  風呂戻り管
３３  風呂三方弁
３８  制御手段
３９  記憶手段
４０  設定手段
４１  判定手段
【図１】
0005442569.tif 000002
【図２】
0005442569.tif 000003
【図３】
0005442569.tif 000004
【図４】
0005442569.tif 000005